(57)【要約】【課題】携帯テレビの電池を充電しながらテレビ放送を楽しむことができるとともに、同じ携帯テレビを見ているという感覚を起こさせず、部屋のアクセサリーとしても有効な、新しい発想のテレビジョン装置をユーザーに提供すること。【解決手段】携帯テレビジョン１は前面に液晶モニター４と操作ボタン５とを配置した薄い箱型に形成し、充電ボックス２はブラウン管タイプのテレビジョンを模して形成するとともに、前面には開閉可能な蓋部材２０を設け、この蓋部材２０の開放時には上記携帯型テレビジョン１を嵌め合わせる嵌合凹部２１が露出するようにし、上記蓋部材２０の前面には上記液晶モニター４と同じ大きさの透明な窓部３５と上記操作ボタン５に連係する押しボタン３６とを配置し、上記充電ボックス２には上記携帯型テレビジョン１に内装した電池を充電する充電器２７とスピーカ２９とを設けた。【選択図】図１
2005136580.tif 000002
【特許請求の範囲】
【請求項１】
携帯型テレビジョンと、該携帯型テレビジョンの電池を充電する充電ボックスとからなる以下の要件を備えることを特徴とするテレビジョン装置。
（イ）上記携帯テレビジョンは薄い箱型に形成され、前面には液晶モニターと操作ボタンとが配置されていること
（ロ）上記充電ボックスはブラウン管タイプのテレビジョンを模して形成され、前面には開閉可能な蓋部材が設けられ、該蓋部材の開放時には上記携帯型テレビジョンを嵌め合わせる嵌合凹部が露出すること
（ハ）上記蓋部材の前面には上記携帯型テレビジョンの液晶モニターと同じ大きなの透明な窓部と、上記操作ボタンに連係する押しボタンが配置されていること
（ニ）上記充電ボックスは上記携帯型テレビジョンに内装した二次電池を充電する充電器と、スピーカとを備えたこと
【請求項２】
前記嵌合凹部に写真を着脱可能に保持するホルダーを設け、該写真を前記窓部から視認できるようにした、請求項１記載のテレビジョン装置。
【発明の詳細な説明】
【技術分野】
【０００１】
本発明は、テレビジョン装置、詳しくは携帯型テレビジョンと、携帯型テレビジョンの電池を充電する充電ボックスとからなるテレビジョン装置で、携帯型テレビジョンを充電ボックスに収納した状態でもテレビ放送を楽しむことができるようにしたテレビジョン装置に関するものである。
【背景技術】
【０００２】
従来、携帯型テレビジョンを屋外や出先だけでなく、室内でも使用したいという要望があり、携帯型テレビジョンを斜めに立てかけるように載置するテレビ載置部を備えた卓上用スタンド型の充電器が提案されている（例えば、特許文献１）。
【特許文献１】特開平９−１２１３１７号公報
【発明の開示】
【発明が解決しようとする課題】
【０００３】
本発明が解決しようとする問題点は、上述の充電器は携帯型テレビジョンを載置して充電しながらテレビ放送を楽しむことができるようにしたものであるが、この充電器はあくまで機能的な面を重視して構成されているもので、携帯テレビジョンを載置しない場合には充電器は無味乾燥的にならざるを得ない点であった。
【０００４】
本発明は、上記問題点を解決し、携帯テレビの電池を充電しながらテレビ放送を楽しむことができるとともに、同じ携帯テレビを見ているという感覚を起こさせず、しかも部屋のアクセサリーとしても有効な、まったく新しい発想の充電器を備えたテレビジョン装置をユーザーに提供することを課題とする。
【課題を解決するための手段】
【０００５】
前記課題を解決するために本発明に係るテレビジョン装置は、携帯型テレビジョンと、該携帯型テレビジョンを収納する充電ボックスとからなる以下の要件を備えることを特徴とする。
（イ）上記携帯テレビジョンは薄い箱型に形成され、前面には液晶モニターと操作ボタンとが配置されていること
（ロ）上記充電ボックスはブラウン管タイプのテレビジョンを模して形成され、前面には開閉可能な蓋部材が設けられ、該蓋部材の開放時には上記携帯型テレビジョンを嵌め合わせる嵌合凹部が露出すること
（ハ）上記蓋部材の前面には上記携帯型テレビジョンの液晶モニターと同じ大きなの透明な窓部が設けられ、該窓部の外側には上記操作ボタンに連係する押しボタンが配置されていること
（ニ）上記充電ボックスは上記携帯型テレビジョンに内装した二次電池を充電する充電器と、スピーカとを備えたこと
【０００６】
なお、前記嵌合凹部の内壁面に写真を着脱可能に保持するホルダーを設け、携帯テレビジョンを収容しないときは該写真を前記窓部から視認できるようにしてもよい。
【発明の効果】
【０００７】
請求項１の発明によれば、携帯型のテレビジョンとして外出先でテレビジョン放送を楽しむことができるし、据え置き型のテレビジョンとして自宅でもテレビジョン放送を楽しむことができとともに、据え置き時には携帯型テレビジョンの電池を充電することができるテレビジョン装置を提供することができる。
【０００８】
請求項２の発明によれば、充電ボックスの嵌合凹部の内壁面に写真のホルダーを設けたことにより、携帯テレビジョンを収納しないときには写真立として利用することができる。
【発明を実施するための最良の形態】
【０００９】
携帯テレビジョンは前面に液晶モニターと操作ボタンとを配置した薄い箱型に形成し、充電ボックスはブラウン管タイプのテレビジョンを模して形成するとともに、前面には開閉可能な蓋部材を設け、この蓋部材の開放時には上記携帯型テレビジョンを嵌め合わせる嵌合凹部が露出するようにするとともに、上記蓋部材の前面には上記携帯型テレビジョンの液晶モニターと同じ大きなの透明な窓部と上記操作ボタンに連係する押しボタンとを配置し、上記充電ボックスに上記携帯型テレビジョンに内装した二次電池を充電する充電器と、スピーカとを設け、携帯型テレビジョンの充電時には別のテレビジョンを観ているような感覚でテレビジョン放送を楽しめるようにした。
【実施例１】
【００１０】
図１は、本発明に係るテレビジョン装置を示し、このテレビジョン装置は携帯型テレビジョン１と、この携帯型テレビジョン（以下、携帯テレビという）を収納する充電ボックス２とから構成され、携帯テレビ１を充電ボックス２に収納したときにもテレビジョン放送を楽しむとともに携帯テレビ１の電池を充電することができるようにしたものである。
【００１１】
携帯テレビ１は薄い箱型で、前面には液晶モニター４が配置されるとともに、この液晶モニター４の下には電源ボタン６、テレビとラジオと単にモニターとして使用するかを選択するメニュー選択ボタン７、その他プレイボタン８ａ、音量ボタン８ｂ、チャンネルボタン８ｃ、チューナーボタン８ｄからなる各種設定ボタン８等からなる操作ボタン５が配置され、内蔵したスピーカ９若しくはイヤホンジャック１０に接続したイヤホン（図示せず）で画像を見ながらテレビジョン放送を楽しむことができるようになっているものである。なお、符号１１はメディアスロットを示し、このメディアスロット１１にＳＤカードやメモリースティックを挿入し、プレイボタン８ａを押すことにより動画なども見ることができるようになっている。
【００１２】
この携帯テレビ１は、図２の回路図に示すように、内蔵したアンテナ１２がテレビチューナ１３とＦＭチューナ１４とに接続され、テレビチューナ１３の出力である映像信号は映像処理装置１５に入力されてＲＧＢ信号、ビデオ信号、ＮＴＳＣ信号等の信号形式の映像信号として処理されて液晶モニター４に入力され、映像が液晶モニター４に表示されるようになっている。
【００１３】
一方、ＦＭチューナ１４の出力である音声信号は増幅器１６で増幅され、スピーカ９に入力されるので、スピーカ９からその信号に対応した音声が出力されるようになっている。
【００１４】
また、上記携帯テレビ１の電源は充電可能な二次電池１７で構成され、携帯テレビ１を充電ボックス２に収納したときには、受電接点２５が給電接点２３に接触して充電ボックス２内に配置された電源によってこの二次電池１７が充電されるようになっている。
【００１５】
充電ボックス２は、ブラウン管タイプのテレビジョンを模して略立方体状に形成され、前面には開閉可能な蓋部材２０が設けられている。この蓋部材２０の後方には上記携帯テレビ１を嵌め合わせる嵌合凹部２１が形成され、蓋部材２０を開いた時にはこの嵌合凹部２１が露出するようになっている（図３参照）。
【００１６】
この蓋部材２０は、ボックス本体３にヒンジ３２で上下に開閉可能に支持され、ボックス本体３の上面に設けた開閉ボタン３３を押し操作することにより、開けることができるようになっている。
【００１７】
この蓋部材２０は中央が開口し、この開口部は携帯テレビ１の液晶モニター４と同じ大きさで透明な窓部（アクリル樹脂、硝子など）３５が形成されているので、蓋部材２０を閉じたときにも携帯テレビ１の映像を窓部３５を透して外から見ることができるようになっている。
【００１８】
なお、この蓋部材２０の開口部の下方には押しボタン３６が配置されている。この押しボタン３６の先端３６ａは、収納した携帯テレビ１のメニュー選択ボタン７の前面に位置し、押しボタン３６を押し操作することにより、携帯テレビ１のメニュー選択ボタン７を外から操作することができるようになっている。
【００１９】
そして、上記嵌合凹部２１の底面２１ａには接点部２２が配置されている。この接点部２２は携帯テレビ１の二次電池を充電するための給電接点２３、音声信号を取り込む入力接点２４とが配置され、嵌合凹部２１に携帯テレビ１を嵌めこんだ時には、携帯テレビ１の底面に配置された受電接点２５が、給電接点２３に接触し、入力接点２４が出力接点２６に接触するようになっている。
【００２０】
充電ボックス２の内部には携帯テレビ１の電源として使用できるとともに電池１７を充電するために家庭用の交流電源を直流電源に変換する充電器２７と、入力接点２４を介して入力された音声信号を増幅する増幅回路２８と、スピーカ２９とが配置され、携帯テレビ１を充電ボックス２内に収納（嵌合凹部２１に嵌め込む）した時には、携帯テレビ１の二次電池１７を充電するとともに、携帯テレビ１の音声がスピーカ２９から出力されるようになっている（図２参照）。
【００２１】
なお、この充電ボックス２にもイヤホンジャック３０が設けてあるので、テレビジョン放送の音声をイヤホン３１で楽しむことができる。
【００２２】
上記構成のテレビジョン装置は、図３に示すように、蓋部材２０を開いて嵌合凹部２１を露出させ、この嵌合凹部２１に、図４に示すように、携帯テレビ１を嵌め合わせる。この時、携帯テレビ１の底面に配置された受電接点２５が、給電接点２３に接触し、入力接点２４が出力接点２６に接触する。
【００２３】
携帯テレビ１を嵌合凹部２１に嵌め込み、蓋部材２０を閉じ、電源ボタン６に対応する押しボタン３６を押して、メニュー選択ボタン７に対応する押しボタン３６を押し操作することにより、携帯テレビ１の電源をＯＮし、観たいチャンネルを選択すると携帯テレビ１の液晶モニター４に映像が表示されるので、この映像は蓋部材２０の窓部３５を透して観ることができ、音声はスピーカ２９から出力される。ので、携帯テレビ１とは異なったテレビジョンを見ているような感覚を得ることができ、同一の携帯テレビでありながら据え置き型テレビを楽しむことができる。
【００２４】
上述のテレビジョン装置によれば、充電ボックス２の嵌合凹部２１から携帯テレビ１を取り外せば、携帯テレビ１をカバンなどに入れて自由に持ち運ぶことができ、充電ボックス２に収納したときには据え置き型テレビジョンとしてテレビジョン放送を楽しむことができるとともに、電池を同時に充電することができる。しかも、充電ボックス２はブラウン管タイプのテレビジョンを模して形成されているので、室内の置物としても楽しむことができ、単なる充電器とは異なり機能的な面だけではなく視覚的にも楽しむことができるテレビジョン装置を実現することができる。
【実施例２】
【００２５】
図６は、テレビジョン装置の他の例を説明する斜視図で、このテレビジョン装置は、充電ボックス２の嵌合凹部２１内に写真４０を着脱可能に保持するホルダー４１を設けたもので、このホルダー４１を透明なアクリル板４２と、嵌合凹部２１の後部内壁面に形成した第２の嵌合凹部４３とで構成すればよい。このホルダー４１によれば第２の嵌合凹部４３に写真４０をセットし、アクリル板４２を第２の嵌合凹部４３に嵌め合わせれば携帯テレビジョンを収納しないときには、図７に示すように、充電ボックス２を写真立てとして利用することができる。
【図面の簡単な説明】
【００２６】
【図１】本発明のテレビジョン装置の構成を説明する斜視図（実施例１）
【図２】上記テレビジョン装置の電気的構成を説明するブロック図（実施例１）
【図３】蓋部材を開いた状態の充電ボックスの斜視図（実施例１）
【図４】上記充電ボックスの嵌合凹部に携帯テレビを嵌め込んだ状態の斜視図（実施例１）
【図５】上記テレビジョン装置の使用状態を示す斜視図（実施例１）
【図６】充電ボックスの他の例を示す斜視図（実施例２）
【図７】上記他の例の充電ボックスを写真立に利用した状態を説明する斜視図（実施例２）
【符号の説明】
【００２７】
１    携帯テレビジョン
２    充電ボックス
４    液晶モニター
２０    蓋部材
２７    充電器
２９    スピーカ
【図１】
2005136580.tif 000003
【図２】
2005136580.tif 000004
【図３】
2005136580.tif 000005
【図４】
2005136580.tif 000006
【図５】
2005136580.tif 000007
【図６】
2005136580.tif 000008
【図７】
2005136580.tif 000009